(57)【要約】      （修正有）【課題】スライドホイッスルの判別しにくい連続音や、スライダーの管体菅尻外への大きなはみ出しなどの欠点を解決しようとする外カバースライド式管楽器を提供する。【解決手段】音孔を有する管体１と、この管体の外部周囲側に相対配置する外カバー２を備えた管楽器である。管体の外側形状と相対する外カバーの内側形状の間のすきまを０μｍ以上に設定して双方をスライド可能な形状とし、管体に所定の音孔３を開設するとともに、外カバーに管体の音孔のオープン用音孔４を必要数開設させ、双方の音孔は、その開設数に対応して管体の軸線５方向、又は軸線の周辺、またはその双方に開設する構成とする。定位置の管体の軸線方向などへの外カバーのスライド操作によって、管体の音孔を開閉自在とするとともに、楽器としての発音を明確にできる。外カバーを管体の外部周囲側に配置したので管体菅尻外へ外カバーを大きくはみ出さないようにできる。【選択図】図１
0003217419.tif 000002
【実用新案登録請求の範囲】
【請求項１】
音孔を有する管体１と、この管体１の外部周囲側に相対配置する外カバー２を備えた管楽器であって、管体１の外側形状と相対する外カバー２の内側形状の間のすきまを０μｍ以上に設定して双方をスライド可能な形状とし、前記管体１に必要な音程の音孔３を開設するとともに、外カバー２に管体１の音孔３のオープン用音孔４を必要個数開設させ、前記音孔３、４は、その開設数に対応して管体１の軸線５方向、又は軸線５の周辺、またはその双方に開設する構成とし、定位置の管体１に対する外カバー２のスライド操作によって、管体１の音孔３を開閉自在としたところを特徴とする外カバースライド式管楽器。
【考案の詳細な説明】
【技術分野】
【０００１】  本考案は、音孔を有する管体と、この管体の外部周囲側に相対配置する外カバーを備えた管楽器であって、この管体の外部周囲側に相対配置する外カバーのスライド操作によって、必要な音程を奏でる外カバースライド式管楽器に関するものである。該当する管楽器とは、ホイッスル、リコーダー、オカリナ、フルート、クラリネット、オーボエ、トランペット、ケーナ、尺八、笛類などを意味するものとする。
【背景技術】
【０００２】  従来の管楽器の例として、スライドホイッスルが挙げられる。このスライドホイッスルは、管体の中にピストン付きスライダーを配置している。高い音から低い音へ、低い音から高い音へ段階無しに音を出すことができ、音を上下に滑らせて（グリッサンド）演奏することが可能である。注射器の針の部分に歌口を付けたような構造である。しかし、前記スライダーは、高音時には管体の中に納まるが、低音時には管体から菅尻外にはみ出す構成になっている。
【先行技術文献】
【非特許文献】
【０００３】
【非特許文献１】インターネット掲載：ウィキペディア：ｈｔｔｐｓ：／／ｊａ．ｗｉｋｉｐｅｄｉａ．ｏｒｇ／ｗｉｋｉ／スライドホイッスル（ＵＲＬ検索年月日：２０１８年５月１日）。
【考案の概要】
【考案が解決しようとする課題】
【０００４】  従来のスライドホイッスルの例では、段階無しに音を出すことができ、音を上下に滑らせて（グリッサンド）演奏することが可能であるため、音程を明確に発音することが出来にくい欠点があった。また、低音時には、スライダーが管体から菅尻外にはみ出す欠点があった。本考案の外カバースライド式管楽器は、スライドホイッスルの判別しにくい連続音や、スライダーの管体外へのはみ出しなどの欠点を解決しようとするものである。
【課題を解決するための手段】
【０００５】  本考案は、前記の課題を解決するため、音孔を有する管体と、この管体の外部周囲側に相対配置する外カバーを備えた管楽器を考案した。その手段として、管体の外側形状と相対する外カバーの内側形状の間のすきまを０μｍ以上に設定して双方をスライド可能な形状とし、前記管体に必要な音程の音孔を開設するとともに、外カバーに管体の音孔のオープン用音孔を必要個数開設させ、前記双方の音孔は、その開設数に対応して管体の軸線方向、又は軸線の周辺、またはその双方に開設する構成とし、定位置の管体に対する外カバーのスライド操作によって管体の音孔を開閉自在とした。
【考案の効果】
【０００６】  管体に音孔を開設したので音程を明確に奏でる効果がある。外カバーは、管体の外部周囲側に相対配置しており、また管体や外カバーの音孔も軸線方向や周辺、またはその双方に開設したので、外カバーが管体外にはみ出ない効果がある。さらに、定位置の管体の軸線方向などへの外カバーのスライド操作によって、管体の音孔を開閉自在に操作できる効果がある。
【図面の簡単な説明】
【０００７】
【図１】本考案の一実施例である管体と外カバーの組合せの正面展開図を示す。
【図２】本考案の一実施例である管体の正面展開図を示す。
【図３】本考案の一実施例である外カバーの正面展開図を示す。
【図４】本考案の一実施例である管体と外カバーの一使用例の正面展開図を示す。
【図５】本考案の一実施例である管体と外カバーの一使用例の正面展開図を示す。
【図６】本考案の一実施例である外カバースライド式管楽器の外観図。
【図７】本考案の一実施例である外カバースライド式管楽器の外観図。
【考案を実施するための形態】
【０００８】  以下、添付図面に従って実施例を説明する。
図１の正面展開図に示すように、本考案の楽器は、音孔を有する管体１と、この管体１の外部周囲側に相対配置する外カバー２を備えた管楽器である。外カバー２が自在にスライド操作できるように、管体１の外側形状と相対する外カバー２の内側形状の間のすきまを０μｍ以上に設定する。試作例においては、３０μｍ程度のすきまが良好であり、シリコ−ンオイルなどで管体１に被膜を施したりすることも効果があった。そして、前記管体１に必要とされる音程用音孔３を開設するとともに、外カバー２に管体１の音孔３のオープン用音孔４を必要個数開設させる。前記音孔３、４は、その開設数に対応して管体１の軸線５方向、又は軸線５の周辺に、開設数が多い場合には図１のようにその双方に開設する。以下、図１から図５に示す管体１と外カバー２が、軸線５に直角な断面においてスライドする長さに対し均一な円筒形状のものを展開した図を示しているが、円筒形以外の平面状（オカリナのような）、三角形、四角形やその他の多角形でもよい。各図の白丸は管体１の音孔のオープン、黒丸は閉じた状態を示す。外カバー２は、管体１が定位置のときに軸線５方向へスライドするものとする。なお、以下の図１〜図７と異なる実施例に対しては、軸線５の周辺回りへスライドする場合もある。
【実施例１】
【０００９】  図２は、円筒管体の展開図を示す。管体１の音孔３は、菅頭側６のホイッスルなどの唄口７を基準として菅尻側８へ必要な音程を発生するよう調律して開設する。音孔数が多い場合は、図２のように、音孔同士が干渉しないように管体１の軸線５の周辺に音孔を分散開設する。この音孔数において、ホイッスルやリコーダーなどでは、管体１に１オクターブ分を開設し、２オクターブ目は倍音を利用するのが一般的である。半音は、音孔を半分閉じることで対応できる。
図３は、円筒形の外カバー２の展開図を示す。外カバー２は、管体１の外側形状と相対する外カバー２の内側形状の間のすきまを０μｍ以上になるような形状とする。外カバー２の音孔４は、次の要領で開設する。管体１に唄口７側からＡ個目の音孔１個を開設する場合、外カバー２には、管体１のＡ個目の音孔３を基準とした相対位置に、菅頭側６方向へＡ個の音孔４を開設する。具体的には、図３のように、管体１の音孔３が１個目は外カバー２の音孔４に１個、以下、２個目は２個、３個目は３個などのように開設する。外カバー２の音孔間の距離は、管体１の音孔の開閉が可能な長さとし、音孔が連なった長孔としても良い。図２の管体１に相対して外部周囲側に図３の外カバー２を組合せると図１の展開図になる。図１は、管体１の音孔が全てオープンの状態を示す。
図４は、図１の管体１の音孔が全オープンの状態から、外カバー２が音孔１個分だけ菅尻側８にスライドした状態を示す。スライドはガイドを別に付加し利用する。
図５は、図１の管体１の音孔が全オープンの状態から、外カバー２が音孔全個分だけ菅尻側８にスライドし、管体１の音孔が全部閉じた状態を示す。
【実施例２】
【０００１０】  図６は、管体１の音孔の幾つかを外カバー２で開閉する楽器例である。ホイッスルやリコーダーにおいて、片手の指を使って管体１の幾つかの音孔３を開閉し、管体１の残りの音孔を外カバー２の音孔４で開閉させる例である。ソプラノリコーダーの菅尻側にアルト用の音孔を追加し、この追加した音孔の開閉のみを外カバー２で開閉させ、ソプラノリコーダーでありながらアルトリコーダーにもなる楽器も製作可能である。
【実施例３】
【０００１１】  図７は、本考案を応用した管楽器で、片手で支持、かつ操作できる管楽器を示す。支持台９を付加して本考案の楽器を特に手指の不自由な人用楽器として構成されている。この楽器の例では、支持兼操作レバー１０に指または手のひら用グリップ１１が付いており、指が不自由な方であっても片手、かつ手のひらのみでもスライド操作が可能である。図７の操作は次のように行う。支持兼操作レバー１０やグリップ１１を握るか、又はグリップ１１へ手のひらを差し込んで、支点１２を中心として回動させることにより、定位置の管体１に対して、外カバー２がガイド１３の案内で移動して所定の音程を奏でる。前記１０のレバーと１１のグリップを可調整か交換式にすると手指の大きさの違いに対応できる。
【産業上の利用可能性】
【０００１２】  本考案は、管楽器分野のスライド式管楽器として新たに利用できる。特に、外カバーのスライドによって管体の音孔の開閉が自在に行えるので、手指が不自由な人も利用できる。また、幼児や高齢者の方などで音孔の開閉が出来難い人であっても容易に利用できる。
【符号の説明】
【０００１３】  １    管体
２    外カバー
３    管体１に開設する音孔
４    外カバー２に開設する音孔
５    管体１の軸線
６    管体１の菅頭側
７    管体の唄口
８    管体１の菅尻側
９    支持台
１０  支持兼操作レバー
１１  指または手のひら用グリップ
１２  １０の支点
１３  移動用ガイド
【図１】
0003217419.tif 000003
【図２】
0003217419.tif 000004
【図３】
0003217419.tif 000005
【図４】
0003217419.tif 000006
【図５】
0003217419.tif 000007
【図６】
0003217419.tif 000008
【図７】
0003217419.tif 000009